(57)【要約】 【課題】    踏み心地が良く、しかも比較的大きな泥も微細な塵埃も除去しうる靴拭きマットを提供する。【解決手段】  この靴拭きマットは、パイル編物１の基布３面にバッキング材２が貼合されてなるものである。パイル編物１は、表地３ａと裏地３ｂが連結糸群４ａで連結されてなるダブルラッセル編物５を、面方向に切断して得られる。切断すると、表地３ａ又は裏地３ｂが基布３となり、連結糸群４ａがパイル群４となったパイル編物１となる。パイル群４は、各パイルがモノフィラメント糸６で形成されてなる第一パイル領域８と、各パイルがマルチフィラメント糸７で形成されてなる第二パイル領域９を有している。第一パイル領域８と第二パイル領域９は、ウエール方向に波形となって、コース方向に交互に配列されている。【選択図】  図４
2015062613.tif 000002
【特許請求の範囲】
【請求項１】
基布と該基布から立毛されているパイル群とからなるパイル編物と、該基布に貼合されているバッキング材とからなる靴拭きマットであって、
前記パイル編物は、表地と裏地とが連結糸群で連結されてなるダブルラッセル編物を、該表地と該裏地との間で面方向に切断して、該表地又は該裏地が前記基布となり、該連結糸群が前記パイル群となるものであり、
前記パイル群は、各パイルがモノフィラメント糸で形成されてなる第一パイル領域と、各パイルがマルチフィラメント糸で形成されてなる第二パイル領域とを有しており、
前記第一パイル領域と前記第二パイル領域は、ウエール方向に波形となって、コース方向に交互に配列されていることを特徴とする靴拭きマット。
【請求項２】
各パイルの長さが２．５〜７．０ｍｍである請求項１記載の靴拭きマット。
【請求項３】
モノフィラメント糸の繊度が１００デシテックス以上であり、マルチフィラメント糸の単繊維繊度が５０デシテックス以下である請求項１記載の靴拭きマット。
【請求項４】
波形のピッチが２５ｍｍ以下である請求項１記載の靴拭きマット。
【請求項５】
第一パイル領域及び第二パイル領域の幅が５〜２０ｍｍである請求項１記載の靴拭きマット。
【請求項６】
第一パイル領域と第二パイル領域とが噛み合っている請求項１記載の靴拭きマット。
【発明の詳細な説明】
【技術分野】
【０００１】
本発明は、事務所又は店舗等の入口に敷設して、靴底に付着した泥や塵埃を除去するための靴拭きマットに関するものである。
【背景技術】
【０００２】
従来より、事務所又は店舗等の入口には、靴底に付着した泥や塵埃を除去するための靴拭きマットが敷設されている。この靴拭きマットとしては、古くは金網、シュロ又は多数の凹凸と多数の開孔を有する合成樹脂製マットが用いられている。しかしながら、これらの靴拭きマットは、踏み心地が悪いという欠点や、比較的大きな泥や塵埃を除去しうるが微細な塵埃は除去しにくいという欠点があった。
【０００３】
踏み心地を向上させるため、比較的細繊度の合成樹脂製単フィラメントが複数本集束されてなるマルチフィラメント糸を使用した靴拭きマットが用いられている。すなわち、この靴拭きマットは、マルチフィラメント糸を一次基布に刺し込んでループパイルを形成し、その後、このループパイルの頂上付近を切断してカットパイルとしたものである。この靴拭きマットは、靴底に当たるカットパイルが比較的細繊度の単フィラメントが複数本集束されたものであるため、踏み心地のよいものである。しかしながら、その反面、比較的細繊度の単フィラメントは剛直性に欠けると共に、腰が弱くへたりやすいため、靴底の泥や塵埃を除去する性能に劣るという欠点があった。
【０００４】
このため、特許文献１には、比較的細繊度の単フィラメントが複数本集束されてなるマルチフィラメント糸と、比較的太繊度の剛直性の大きいモノフィラメント糸とを合撚した合撚糸を、一次基布に刺し込んでループパイルを形成し、その後、ループパイルの頂上付近を切断してカットパイルとした靴拭きマットが提案されている。このような靴拭きマットは、カットパイル中にマルチフィラメント糸とモノフィラメント糸が混在しているため、踏み心地が良く、しかもへたりにくく且つ靴底の泥や塵埃の除去性能に優れたものである。
【０００５】
【特許文献１】特許第３８４４５６２号公報（特許請求の範囲の項）
【発明の開示】
【発明が解決しようとする課題】
【０００６】
しかしながら、比較的細繊度の単フィラメントが複数本集束されてなるマルチフィラメント糸と、比較的太繊度のモノフィラメント糸とを合撚するには、高度の合撚技術が必要となる。すなわち、マルチフィラメント糸とモノフィラメント糸とは、その剛直性に大きな差があるため、均一な合撚が困難であり、靴拭きマットの生産性に劣るという欠点があった。また、得られた合撚糸もモノフィラメント糸が存在しているため、剛直であり、一次基布に刺し込んでループパイルを形成する際にも、ループ長の短いパイルを形成しにくいという欠点もあった。
【０００７】
本発明は上記欠点を解決することを課題とするものであり、マルチフィラメント糸とモノフィラメント糸を別個に使用して、踏み心地が良く、しかも比較的大きな泥も微細な塵埃も除去しうる靴拭きマットを提供するものである。
【課題を解決するための手段】
【０００８】
本発明は、連結糸にマルチフィラメント糸とモノフィラメント糸とを特定の態様で使用したダブルラッセル編物を利用して、上記課題を解決したものである。すなわち、本発明は、基布と該基布から立毛されているパイル群とからなるパイル編物と、該基布に貼合されているバッキング材とからなる靴拭きマットであって、前記パイル編物は、表地と裏地とが連結糸群で連結されてなるダブルラッセル編物を、該表地と該裏地との間で面方向に切断して、該表地又は該裏地が前記基布となり、該連結糸群が前記パイル群となるものであり、前記パイル群は、各パイルがモノフィラメント糸で形成されてなる第一パイル領域と、各パイルがマルチフィラメント糸で形成されてなる第二パイル領域とを有しており、前記第一パイル領域と前記第二パイル領域は、ウエール方向に波形となって、コース方向に交互に配列されていることを特徴とする靴拭きマットに関するものである。
【０００９】
本発明に係る靴拭きマットは、パイル編物１の基布３面にバッキング材２を貼合したものである。パイル編物１は、基布３と、この基布３から立毛されているパイル群４とからなるものである。パイル編物１は、ダブルラッセル編物５から得られるものである。すなわち、タブルラッセル編物５は、表地３ａと裏地３ｂとが連結糸群４ａで連結されてなるものである。このダブルラッセル編物５を、表地３ａと裏地３ｂの間で面方向に切断する（図３の二重矢印方向）。そうすると、表地３ａと表地３ａの表面に立毛した連結糸群４ａとからなる編物と、裏地３ｂと裏地３ｂの表面に立毛した連結糸群４ａとからなる編物が得られる。すなわち、表地３ａが基布３となり、切断された連結糸群４ａがパイル群４となっているパイル編物１と、裏地３ｂが基布３となり、切断された連結糸群４ａがパイル群４となっているパイル編物１とが得られるのである。本発明で用いるパイル編物１は、かかる方法で得られるものであるため、パイル群４を構成する各パイルは任意の長さに立毛しうるのである。たとえば、表地３ａと裏地３ｂとを繋ぐ連結糸群４ａの長さを５．０ｍｍにしておき、連結糸群４ａの中点を切断すれば、各パイルの長さが２．５ｍｍのパイル編物１を２枚得ることができる。同様に、連結糸群４ａの長さを１４ｍｍにしておき、連結糸群の中点を切断すれば、各パイルの長さが７．０ｍｍのパイル編物１を２枚得ることができるのである。上記例示したとおり、本発明においては、パイルの長さは２．５〜７．０ｍｍであるのが好ましい。パイルの長さが２．５ｍｍ未満であると、塵埃把持性或いは塵埃保持性が低下し、塵埃の除去性能が低下する傾向が生じる。また、パイルの長さが７．０ｍｍを超えると、パイルが直立しにくくなり、塵埃除去性が低下する傾向が生じる。
【００１０】
本発明に係る靴拭きマットのもう一つの特徴は、パイル群４が二つの領域を持つ点である。すなわち、各パイルがモノフィラメント糸６で形成されている第一パイル領域８と、各パイルがマルチフィラメント糸７で形成されている第二パイル領域９を持つ点である。モノフィラメント糸６は、比較的太繊度の剛直性の大きいフィラメント糸であり、具体的には、繊度が１００デシテックス以上のフィラメント糸のことである。マルチフィラメント糸７は、比較的細繊度の単フィラメントが複数本集束されてなる柔軟で剛直性に乏しい糸であり、具体的には、繊度が５０デシテックス以下のフィラメントが数十本集束されてなる糸のことである。
【００１１】
この第一パイル領域８と第二パイル領域９は、ウエール方向に波形となって、コース方向に交互に配列されている。ウエール方向とは、ダブルラッセル編物の編成方向のことであり、図４中では横方向のことである。また、コース方向とは、ダブルラッセル編物の幅方向のことであり、図４中では縦方向のことである。波形というのは、図４に示したような直線的なものであってよいし、サインカーブのような曲線的なものであってもよい。波形のピッチ（波長）は、２５ｍｍ以下であるのが好ましい。２５ｍｍ以上であると、横幅が５０ｍｍ程度のベビー靴のつま先が、第一パイル領域８のみ又は第二パイル領域９のみに当接し、幼児が歩くときに第一パイル領域８に引っ掛かったり、第二パイル領域９中に沈み込むために、歩きにくくなる恐れがある。また、第一パイル領域８と第二パイル領域９の波形の振幅は、ウエール方向において、第一パイル領域８と第二パイル領域９とが噛み合う程度であるのが好ましい。第一パイル領域８と第二パイル領域９とが噛み合っていると、靴底が同時に第一パイル領域８と第二パイル領域９に当接するからである。なお、ここで言う噛み合うとは、歯車のように一方の凸部が他方の凹部に嵌まり込んだ状態となっていることを意味し、たとえば、図４に基づけば、上下に隣り合う第一パイル領域８の上の領域の谷の位置が、下の領域の山の位置よりも下方に位置していることを意味している。
【００１２】
第一パイル領域８及び第二パイル領域９の幅Ｗは任意であるが、一般的に５〜２０ｍｍであるのが好ましい。第一パイル領域８の幅Ｗが５ｍｍ未満になると、各パイルを形成しているモノフィラメント糸６によって、比較的大きな泥や塵埃を除去しにくくなる傾向が生じる。また、第二パイル領域９の幅Ｗが５ｍｍ未満になると、微細な塵埃を除去しにくくなる傾向が生じる。第一パイル領域８の幅Ｗが２０ｍｍを超えると、靴底が第一パイル領域８のみに当接して、靴底が引っ掛かる傾向が生じる。また、第二パイル領域９の幅Ｗが２０ｍｍを超えると、靴底が第二パイル領域９のみに当接して、靴底が沈み込み傾向が生じる。すなわち、第一パイル領域８及び第二パイル領域９の幅Ｗが２０ｍｍを超えると、歩行しにくくなる傾向が生じるのである。
【００１３】
本発明に係る靴拭きマットの製造方法は、以下のとおりである。まず、公知のダブルラッセル編機を用いて、ダブルラッセル編物を編成する。表地及び裏地の編成に使用する糸は、公知の紡績糸、マルチフィラメント糸又はモノフィラメント糸が用いられる。また、これらの糸の素材も、公知のポリエステルやナイロンが用いられる。一方、表地と裏地を繋ぐ連結糸群として、モノフィラメント糸とマルチフィラメント糸を併用する。具体的には、連結糸群を導入する筬の各挿通孔に、モノフィラメント糸を挿通する箇所とマルチフィラメント糸を挿通する箇所を設ける。モノフィラメント糸とマルチフィラメント糸の素材も、ポリエステルやナイロンが用いられる。ダブルラッセル編物の表地、裏地及び連結糸の編成組織も、公知のものが用いられる。ただし、連結糸の編成は、表地及び裏地の対応するループに絡めて、なるべく直立するような組織とするのが好ましい。直立している方が、靴底の塵埃除去性に優れるからである。
【００１４】
ダブルラッセル編物を編成した後、連結糸群の中点近傍で面方向に切断して、表地又は裏地を基布とし、連結糸群をパイル群としたパイル編物が得られる。もちろん、連結糸群の中点近傍ではなく、裏地寄りで面方向に切断して、パイル編物を得てもよい。この場合、裏地を基布としたパイル長の短いパイル編物と、表地を基布としたパイル長の長いパイル編物を得ることができる。このパイル編物は、このままで基布面に、溶融又は軟化させたバッキング材樹脂を塗工し固化させて、バッキング材を貼合してもよい。好ましくは、ダブルラッセル編物に熱セット加工を施した後にパイル編物を得て、このパイル編物の基布面に溶融又は軟化させたバッキング材樹脂を塗工するのが良い。これは、熱セット加工により、パイル編物の熱収縮率が低くなり、溶融又は軟化させたバッキング材樹脂を塗工する際に、パイル編物が収縮しにくくなるからである。なお、バッキング材樹脂は、従来公知の天然ゴム、合成ゴム、ポリ塩化ビニル又はポリウレタン等が用いられ、必要に応じて、顔料や充填材等を含有させておいてもよい。
【００１５】
本発明に係る靴拭きマットは、事務所又は店舗等の入口に敷設して用いられ、この上を人が歩行することにより、靴底の塵埃が除去されるのである。したがって、人が歩行する際に、動きにくくするため、バッキング材の重量を重くするのが一般的である。
【発明の効果】
【００１６】
本発明に係る靴拭きマットに用いるパイル編物は、ダブルラッセル編物を切断するだけで得られるから、靴拭きマットの生産性が向上するという効果を奏する。また、パイル編物に設けられたパイル群は、各パイルがモノフィラメント糸で形成されてなる第一パイル領域と、各パイルがマルチフィラメント糸で形成されてなる第二パイル領域とがあるため、比較的大きな泥や塵埃は第一パイル領域で除去し、比較的微細な塵埃は第二パイル領域で除去される。したがって、各種の塵埃除去性に優れるという効果を奏する。さらに、第一パイル領域と第二パイル領域は、ウエール方向に波形となって、コース方向に交互に配列されているから、靴底は両者の領域に当接するため、靴底が第一パイル領域に引っ掛かったり、或いは靴底が第二パイル領域に沈み込むことが少なく、踏み心地が良く、歩行しやすいという効果も奏する。
【実施例】
【００１７】
ダブルラッセル編機（カールマイヤー社製）を用い、以下の条件でダブルラッセル編物を編成した。すなわち、表地及び裏地を編成する糸として、２８０デシテックス／４８フィラメントのポリエステルマルチフィラメント糸を用い、アトラス編組織で表地及び裏地を編成した。一方、連結糸として、２２０デシテックスのナイロンモノフィラメント糸（１号）と３３０デシテックス／１５フィラメントのポリエステルマルチフィラメント糸を用い、前者２本に対して後者４本づつ、交互に筬に挿通して、表地と裏地を連結した。連結糸を挿通した筬をコース方向に左右に振りながら、図４に示した波形となるように、モノフィラメント糸及びマルチフィラメント糸を移動させながら、表地及び裏地に絡めた。以上のようにして、ダブルラッセル編物を得た。
【００１８】
得られたダブルラッセル編物を、ピンテンターにより、１６０℃で２分間の条件で、熱セット加工を施した。この後、ダブルラッセル編物の連結糸群を面方向に切断して、表地が基布となり、連結糸群がパイル群となったパイル編物を得た。このパイル編物の編密度は、１５ウエール／インチで２３コース／インチであった。また、各パイルの長さは約３ｍｍであった。このパイル編物の基布面に、溶融したポリ塩化ビニル樹脂を塗工して、バッキング材を貼合して、靴拭きマットを得た。この靴拭きマットは、塵埃除去性に優れ、踏み心地のよいものであった。
【図面の簡単な説明】
【００１９】
【図１】本発明の一例に係る靴拭きマットの模式的側面図である。
【図２】本発明に用いるパイル編物の一例を示した模式的側面図である。
【図３】本発明の一例に係る靴拭きマットを得る際に編成するダブルラッセル編地の          一例を示す模式的側面図である。
【図４】本発明の一例に係る靴拭きマットの模式的表面図である。
【符号の説明】
【００２０】
１      パイル編物
２      バッキング材
３      基布
３ａ    表地
３ｂ    裏地
４      パイル群
４ａ    連結糸群
５      ダブルラッセル編物
６      モノフィラメント糸
７      マルチフィラメント糸
８      第一パイル領域
９      第二パイル領域
【図１】
2015062613.tif 000003
【図２】
2015062613.tif 000004
【図３】
2015062613.tif 000005
【図４】
2015062613.tif 000006